(57)【要約】【課題】  流通時のＴＥカバーによるＴＥ機能の強化と、廃棄時のＴＥバンドの分別廃棄機能の容易性を備えるＴＥカバー付ピルファープルーフキャップの提供を図る。【解決手段】  不正開封防止機能と密封機能を備えるピルファープルーフキャップと、該ピルファープルーフキャップの外周面を被覆するＴＥカバーと、で形成される合成樹脂製のＴＥカバー付ピルファープルーフキャップであって、該ＴＥカバーは、上側筒状部と、下側筒状部が一体成型されて所定の高さを有する筒状体を形成し、該筒状体の外周面には滑り防止用溝を刻設し、上側筒状部は、その内周面がピルファープルーフキャップのキャップ本体の外周面に溶着固定され、下側筒状部は、ピルファープルーフキャップの破断ブリッジを隙間逃げ部を設けた状態で外側から被覆すると共に、その内周面の下端がＴＥバンドのテーパ面の上面に当接するテーパ面を形成して該ＴＥバンドの下端位置まで被覆する手段を採る。【選択図】図２
2013203431.tif 000002
【特許請求の範囲】
【請求項１】
不正開封防止機能と密封機能を備えるピルファープルーフキャップと、該ピルファープルーフキャップの外周面を被覆するＴＥカバーと、で形成される合成樹脂製のＴＥカバー付ピルファープルーフキャップであって、
前記ピルファープルーフキャップは、充填容器のスパウト部に螺合されるキャップ本体と、該キャップ本体のスカート部の下端にリング状のバンドを分断する分割スリットを形成するＴＥバンドと、を破断ブリッジを介して設けて成り、
前記ＴＥカバーは、上側筒状部と、下側筒状部が一体成型されて所定の高さを有する筒状体を形成し、該筒状体の外周面には滑り防止用溝を刻設し、前記上側筒状部は、その内周面が前記ピルファープルーフキャップのキャップ本体の外周面に溶着固定され、前記下側筒状部は、前記ピルファープルーフキャップの破断ブリッジを隙間逃げ部を設けた状態で外側から被覆すると共に、その内周面の下端が前記ＴＥバンドのテーパ面の上面に当接するテーパ面を形成して該ＴＥバンドの下端位置まで被覆して成り、
製造段階で前記ＴＥカバー付ピルファープルーフキャップを充填容器に装着する場合は、前記ＴＥバンドが前記キャップ本体に連結された状態で装着され、
飲料時に前記ＴＥカバー付ピルファープルーフキャップを開栓する場合は、前記破断ブリッジによって千切られた前記ＴＥバンドが充填容器のフランジ溝に取り残された状態で開栓され、
飲料後に充填容器が廃棄処分される場合は、充填容器のフランジ溝に取り残された状態の前記ＴＥバンドを中心から外方向に引き寄せることによって、前記ＴＥバンドを充填容器から容易に分離することができる
ことを特徴とするＴＥカバー付ピルファープルーフキャップ。
【請求項２】
前記ＴＥカバーの上端に天面部を設けてキャップ状に形成し、該ＴＥカバーを前記ピルファープルーフキャップのキャップ本体に被覆させ、さらに該ＴＥカバーの上側筒状部の内周面とキャップ本体の外周面とを溶着固定したことを特徴とする請求項１記載のＴＥカバー付ピルファープルーフキャップ。
【発明の詳細な説明】
【技術分野】
【０００１】
本発明は、流通時のＴＥ機能と廃棄時の分別廃棄機能を備えるタッパーエビネンスカバー付のピルファープルーフキャップに関する。
【背景技術】
【０００２】
１９９５年に制定された容器包装リサイクル法により、飲料業界の１Ｌ未満の飲料用ペットボトルの自主規制が１９９６年に解除され、小型容量のペットボトル飲料が広く普及し流通するようになった。
【０００３】
そのペットボトル飲料の普及に伴って、充填容器の中に除草剤や液体洗剤を混入させるいたずら事件が発生し、その防御手段として不正開封防止機能、所謂タッパーエビネンス機能（以下ＴＥ機能と称す)を備えたピルファープルーフキャップが開発され、今日に至っている。
【０００４】
該ピルファープルーフキャップのＴＥ機能は、キャップ本体を反時計回りに回すとキャップ本体とタッパーエビネンスバンド(以下ＴＥバンドと称す)を繋ぐ破断ブリッジが千切られ、略１回りしたところでキャップ本体とＴＥバンドが完全に切り離される機能と、該ＴＥバンドが切り離されると同時に充填容器のスパウト部の密栓状態が解除される二つの機能を備えているものである。係るピルファープルーフキャップには、開封後もＴＥバンドがキャップ本体に繋がっている一体型（ラチェット式）タイプと、開封後はＴＥバンドがキャップ本体から完全に分離される分離型タイプの二つのタイプに分けられる。
【０００５】
該一体型タイプのピルファープルーフキャップとしては、例えば、「ラチェット式螺子キャップ」（特許文献１）などの技術が提案されている。しかしながら、係る「ラチェット式螺子キャップ」の提案技術は、破断性、分離性、及びリサイクル性には優れるものの、外観美観性、リキャップ性、防犯性、安全性、及び分別廃棄性には問題があり、特に環境問題や製造物責任法（ＰＬ法）の観点から、現在では合成樹脂製のピルファープルーフキャップには使用されることが少なくなってきているという現状にある。
【０００６】
一方、分離型タイプのピルファープルーフキャップとしては、外観美観性、リキャップ性、防犯性、安全性、及び分離性に優れており、現在のペットボトルキャップのほとんどに採用されるようになった。しかし、分離型タイプのピルファープルーフキャップは、ＴＥバンドが使用済みの充填容器に装着されたままの状態となることから、分別廃棄性、リサイクル性に問題点が残るものであり、特に飲料販売者は、「簡易洗浄」と、「ラベルの剥離」と、「キャップの分離」と言う容器リサイクル法による排出業者に定められた廃棄義務を果たすことが負担になっている現状がある。
【０００７】
そこで、係るＴＥバンドを分離して脱着可能とすることが考えられるが、分離構造とするには以下に示す問題点を解決しなければならない。
（ａ）充填容器の口頚部がＴＥバンドの分割部の切り込みの間から露出することによってＴＥバンドが破壊された不良品と見られて商品価値を下げる外観美観性を損なう恐れの問題。
（ｂ）キャップの開栓時において、ＴＥバンドが円周方向に伸びて拡張し、フランジ溝の上段フランジを乗り越えてＴＥバンドがキャップ本体から破断しないという破断性の問題。
（ｃ）ＴＥバンドがリキャップ時にキャップ本体に連なっていて、リキャップ作業がやり辛いリキャップ性の問題。
（ｄ）ＴＥバンドの分割部の切込みを悪意的に細工することができないようにすべきという防犯性の問題。
（ｅ）ＴＥバンドを幼児が飲み込む危険や、キャップ本体に繋がったバンドの先端で目を刺したり、指を切る危険を防止すべき安全性の問題。
（ｆ）ＴＥバンドを充填容器本体から道具などを用いることなく簡単に分離可能とすべき分離性の問題。
（ｇ）ＴＥバンドの安易な投げ捨て行為の防止や、分別収集作業における人件費の負担を軽減すべき分別廃棄性の問題。
（ｈ）充填容器とキャップが完全に分離されるリサイクル処理コストの抑制と、マテリアルリサイクルの品質向上を図るリサイクル性向上の問題。
【０００８】
このような問題に鑑み、従来より、上記の分離型タイプのピルファープルーフキャップの問題点を解決しようとする提案が種々なされている。その構造を大別すると、ＴＥバンドにスリットを入れて分断したものと、ＴＥバンドにスリットを入れて弱化ブリッジで繋いだものに分類することができる。
【０００９】
ＴＥバンドにスリットを入れて分断したものとしては、例えば、「容器蓋」（特許文献２）や、「ピルファープルーフ特性を有する合成樹脂製容器蓋」（特許文献３）が提案されている。
【００１０】
しかしながら、それらの「容器蓋」ならびに「ピルファープルーフ特性を有する合成樹脂製容器蓋」の提案技術は、ＴＥバンドのスリットが完全に分離しているため、分離性、リキャップ性、分別廃棄性、及びリサイクル性に優れるが、外観美観性、破断性、防犯性、及び安全性に問題が残るものであった。
【００１１】
また、ＴＥバンドにスリットを入れて弱化ブリッジで繋いだものとしては、例えば、「ピルファープルーフキャップ」（特許文献４）が提案されている。
【００１２】
しかしながら、係る「ピルファープルーフキャップ」の提案技術は、ＴＥバンドのスリットが弱化ブリッジで繋がれているため、破断性、リキャップ性、防犯性、及び安全性には優れるが、外観美観性、分離性、分別廃棄性、及びリサイクル性には問題が残るものであった。
【００１３】
また、ＴＥバンドの連結状態を改良してキャップ本体の緩み止め防止機能を向上させた「瓶及びキャップ」（特許文献５参照）の技術が提案されている。
【００１４】
係る「瓶及びキャップ」の提案技術は、ＴＥバンドによってキャップ本体の緩みを防止する技術であり、その技術は、ＴＥバンドにおける分割部の形状が弾性による変形量を許容するための範囲を制限する手段として設けられているもので、その結果、分割部には工具等でいたずらされる可能性がある隙間が生じるものであり、係る隙間の存在は、ＴＥバンドそもそもの目的であるＴＥ機能を低下させてしまうという大きな問題を残すものであった。
【００１５】
他方、合成樹脂製の中蓋キャップを設けてＴＥ性を確保している果実飲料や酒類が充填される紙パック容器は、中蓋キャップの構造においてＴＥ性と密封性を同時に確保しなければならないことから構造が複雑になると共に、さらに製造コストの高騰に繋がり、また開封時においては、外キャップの開栓と中蓋キャップの開栓を重複して行わなければならず、手間と煩わしさを伴うものであった。
【００１６】
以上のように、従来のペットボトルならびに紙パック容器に装着されるピルファープルーフキャップの何れの提案も、ＴＥバンドにおける外観美観性、破断性、リキャップ性、防犯性、安全性、分離性、分別廃棄性、及びリサイクル性の全てを満たすことができないものであり、特にペットボトルに使用されるピルファープルーフキャップの致命的な問題点は、ＴＥバンドにスリットを入れて分断したものにおいては、ＴＥバンドが開栓時に円周方向に伸びて拡張し、充填容器のフランジ溝の上段フランジを乗り越えてＴＥバンドが千切れない状態になる破断性問題と、充填容器の口頚部が分割部の切り込みの間から露出して商品価値を下げる外観美観性の問題と、スリットを意図的に細工することができる防犯性の問題が指摘されるものである。他方、ＴＥバンドにスリットを入れて弱化ブリッジで繋いであるものにおいては、ＴＥバンドを充填容器本体から道具などを用いなくては切り離すことができない分離性の問題が指摘されるものであった。
【００１７】
また、紙パック容器に使用されるピルファープルーフキャップの致命的な問題点は、開封時において、外キャップの開栓と中蓋キャップの開栓を重複して行わなければならず、手間と煩わしさが伴う問題と、例えば「中蓋を蓋部に設けられたＴＥバンドで覆ってＴＥ機能を有する分別廃棄機能を備えたプラスチックキャップ」（特許文献６参照）の技術に示されるように、破断されたＴＥバンドが紙パック容器に溶着された状態で残される構造であることから、充分な分別廃棄機能が得られない問題が指摘されるものである。
【００１８】
また、従来のピルファープルーフキャップは、ＴＥバンドとペットボトルのフランジ溝との間に隙間を有する構造であるため、ピルファープルーフキャップが装着されているペットボトルを逆さまにして熱湯に浸した状態で不正開封行為を行うと、リング状のＴＥバンドが熱軟化し、その状態でＴＥバンドとフランジ溝との間にラッパ状の工具を差し込むことによってピルファープルーフキャップをペットボトルのフランジ溝から簡単に不正分離することができるため、完全なＴＥ性を有するピルファープルーフキャップとは言い難いものであった。
【００１９】
本願発明者は、合成樹脂製のピルファープルーフキャップのＴＥバンドにおける上記の全ての問題点を解決するために、合成樹脂製のピルファープルーフキャップに設けられるＴＥバンドの取り付け構造に着目し、ＴＥバンド自体にはキャップ本体とＴＥバンドの分離性を求め、ＴＥ性についてはＴＥバンドを覆うカバー体で確保できるのではないかとの着想の下、既存の合成樹脂製のピルファープルーフキャップの外周面に筒状体のＴＥカバーを被覆することによって、流通時のタッパーエビネンスカバー（以下ＴＥカバーと称す)によるＴＥ機能の強化と廃棄時のＴＥバンドの分別廃棄機能の容易性とを兼ね備えるＴＥカバー付ピルファープルーフキャップを開発し、本出願における「ＴＥカバー付ピルファープルーフキャップ」の提案に至るものである。
【先行技術文献】
【特許文献】
【００２０】
【特許文献１】特開２００７-４５４８５号公報
【特許文献２】特開平６-１５６５１６号公報
【特許文献３】特開昭５７-２８７６７号公報
【特許文献４】特開２００３-５４５９７号公報
【特許文献５】特開２００２-１２０８５２号公報
【特許文献６】特開２００５-６７６９９号公報
【発明の概要】
【発明が解決しようとする課題】
【００２１】
本発明は上記問題点に鑑み、ピルファープルーフキャップの外周面を筒状体のＴＥカバーで被覆することによって、流通時のＴＥカバーによるＴＥ機能の強化と廃棄時のＴＥバンドの分別廃棄機能の容易性とを兼ね備えるＴＥカバー付ピルファープルーフキャップの提供を図ることを課題とする。
【課題を解決するための手段】
【００２２】
本発明は上記目的を達成するためになされるもので、不正開封防止機能と密封機能を備えるピルファープルーフキャップと、該ピルファープルーフキャップの外周面を被覆するＴＥカバーと、で形成される合成樹脂製のＴＥカバー付ピルファープルーフキャップであって、前記ピルファープルーフキャップは、充填容器のスパウト部に螺合されるキャップ本体と、該キャップ本体のスカート部の下端にリング状のバンドを分断する分割スリットを形成するＴＥバンドと、を破断ブリッジを介して設けて成り、前記ＴＥカバーは、上側筒状部と、下側筒状部が一体成型されて所定の高さを有する筒状体を形成し、該筒状体の外周面には滑り防止用溝を刻設し、前記上側筒状部は、その内周面が前記ピルファープルーフキャップのキャップ本体の外周面に溶着固定され、前記下側筒状部は、前記ピルファープルーフキャップの破断ブリッジを隙間逃げ部を設けた状態で外側から被覆すると共に、その内周面の下端が前記ＴＥバンドのテーパ面の上面に当接するテーパ面を形成して該ＴＥバンドの下端位置まで被覆して成り、製造段階で前記ＴＥカバー付ピルファープルーフキャップを充填容器に装着する場合は、前記ＴＥバンドが前記キャップ本体に連結された状態で装着され、飲料時に前記ＴＥカバー付ピルファープルーフキャップを開栓する場合は、前記破断ブリッジによって千切られた前記ＴＥバンドが前記充填容器のフランジ溝に取り残された状態で開栓され、飲料後に充填容器が廃棄処分される場合は、充填容器のフランジ溝に取り残された状態の前記ＴＥバンドを軽く中心から外方向に引き寄せることによって、前記ＴＥバンドを充填容器から容易に分離することができる手段を採用した。
【００２３】
また本発明は、前記ＴＥカバーの上端に天面部を設けてキャップ状に形成し、該ＴＥカバーを前記ピルファープルーフキャップのキャップ本体に被覆させ、さらに該ＴＥカバーの上側筒状部の内周面とキャップ本体の外周面とを溶着固定した手段を採用した。
【発明の効果】
【００２４】
本発明に係るＴＥカバー付ピルファープルーフキャップによれば、ピルファープルーフキャップの外周面を筒状体のＴＥカバーで被覆することによって、ＴＥバンドにおける流通時のＴＥカバーによるＴＥ機能の強化と、廃棄時のＴＥバンドの分別廃棄機能の容易性とを兼ね備えるＴＥカバー付ピルファープルーフキャップの提供が図られるという優れた効果を奏する。
【００２５】
また、本発明に係るＴＥカバー付ピルファープルーフキャップによれば、ＴＥカバーによってピルファープルーフキャップが完全に密封されてＴＥ性が確保される構造から、製造段階では容器の洗浄工程でピルファープルーフキャップと充填容器の隙間に塵垢の侵入を阻止することができると共に、外観形状も極めてシンプルな機能美を有し、何よりもＴＥカバーの下端がＴＥバンドの下端位置まで被覆していることによって、外部から道具を使った不正開封操作を完全に防止することができるという優れた効果を奏する。
【００２６】
また、本発明に係るＴＥカバー付ピルファープルーフキャップによれば、ＴＥバンドにおける機能追及がキャップ本体との分離性に留まるため、分割スリットの形状についてＴＥ性を備える必要がなく、最終的な分別廃棄時に必要とされる利便的な簡易構造で構成することができるといった優れた効果を奏する。
【００２７】
また、本発明に係るＴＥカバー付ピルファープルーフキャップによれば、ＴＥバンドのテーパ面の上面が、下側筒状部の内周面の下端に設けられるテーパ面によって当接されて被覆されているため、開栓時にＴＥバンドが伸びて拡張することで上段フランジに乗り上げてＴＥカバー付ピルファープルーフキャップが開栓しないという現象を阻止することができるという優れた効果を奏する。
【００２８】
また、本発明に係るＴＥカバー付ピルファープルーフキャップによれば、ピルファープルーフキャップのキャップ本体にＴＥカバーを被覆することによって、キャップの外径が太くなることで開栓トルクが小さくて済むことから、少ない力でピルファープルーフキャップを開栓することができると共に、ピルファープルーフキャップを摘む幅も同時に高くなって、摘み易くなるという優れた効果を奏する。
【００２９】
また、本発明に係るＴＥカバー付ピルファープルーフキャップによれば、従来のピルファープルーフキャップの製造工程とＴＥカバーの製造工程が別個の製造ラインで生産することができるため、ＴＥカバーの被覆ならびに溶着固定する製造ラインが新たに設けられるに留まり、大規模な設備投資をすることなく製造ラインを組むことができるという優れた効果を奏する。
【００３０】
また、本発明に係るＴＥカバー付ピルファープルーフキャップによれば、飲料、液体調味料、流動性食品、化粧品、画材、塗料、潤滑剤、液体洗剤、洗髪料、消毒剤、液体医療品、劇薬等のペットボトルや紙パック容器を始めとするあらゆる充填容器のピルファープルーフキャップとして使用できるという優れた効果を奏する。
【図面の簡単な説明】
【００３１】
【図１】本発明に係る請求項１記載のＴＥカバー付ピルファープルーフキャップを示す説明図である。（実施例１）
【図２】本発明に係る請求項１記載のＴＥカバー付ピルファープルーフキャップを示す説明図である。
【図３】本発明に係る請求項１記載のＴＥカバー付ピルファープルーフキャップの取り付け状態を示す説明図である。
【図４】本発明に係る請求項１記載のＴＥカバー付ピルファープルーフキャップの開栓状態を示す説明図である。
【図５】本発明に係る請求項２記載のＴＥカバー付ピルファープルーフキャップを示す説明図である。（実施例２）
【発明を実施するための形態】
【００３２】
本発明のＴＥカバー付ピルファープルーフキャップ１０は、不正開封防止機能と密封機能を備えるピルファープルーフキャップ２０と、該ピルファープルーフキャップ２０の外周面を被覆するＴＥカバー３０と、で形成される合成樹脂製のＴＥカバー付ピルファープルーフキャップ１０であって、該ＴＥカバー３０は、上側筒状部３２と、下側筒状部３３が一体成型されて所定の高さＴを有する筒状体３１を形成し、該筒状体３１の外周面には滑り防止用溝３５を刻設し、上側筒状部３２は、その内周面がピルファープルーフキャップ２０のキャップ本体２１の外周面に溶着固定され、下側筒状部３３は、ピルファープルーフキャップ２０の破断ブリッジ２３を隙間逃げ部Ｓを設けた状態で外側から被覆すると共に、その内周面の下端がＴＥバンド２４のテーパ面２７の上面に当接するテーパ面３４を形成して該ＴＥバンド２４の下端位置まで被覆した手段を採ったことを最大の特徴とするものである。以下、本発明に係るＴＥカバー付ピルファープルーフキャップ１０の実施形態を、図面に基づいて説明する。
【００３３】
なお、本発明に係るＴＥカバー付ピルファープルーフキャップ１０におけるＴＥカバー３０の形状は、下記に述べる実施例に限定されるものではなく、本発明の技術的思想の範囲内、すなわち同一の作用効果を発揮できる形状及び寸法の範囲内で、適宜変更することができる。
【００３４】
また、本発明におけるＴＥ機能は、従来のＴＥバンド２４に全て求めるものではなく、新たにピルファープルーフキャップ２０の外周面を被覆する筒状体３１のＴＥカバー３０によって達成されるもので、ＴＥバンド２４に求められる機能は、ピルファープルーフキャップ２０のキャップ本体２１とＴＥバンド２４の連結を流通段階まで維持することを主たる目的とするものである。
【００３５】
また、本発明における分別廃棄機能は、ＴＥバンド２４に設けられる分割スリット２５によって達成されるものであって、ピルファープルーフキャップ２０の外周面が筒状体３１のＴＥカバー３０で常時完全に被覆されていることによってＴＥバンド２４に設けられる分割スリット２５の形状は単純にＴＥバンド２４を二分割する形状で良く、分別廃棄時にＴＥバンド２４の分割スリット２５を指先で軽く中心から外方向に引き寄せることによって、ＴＥバンド２４が充填容器４０のフランジ溝４４から容易に外されて充填容器４０と分別廃棄されることを目的とするものである。
【実施例１】
【００３６】
図１は、本発明に係る請求項１記載のＴＥカバー付ピルファープルーフキャップ１０を示す説明図であり、図１（ａ）はピルファープルーフキャップ２０とＴＥカバー３０とを組み合わせた状態を示す部分断面図であり、図１（ｂ）は組み合わせようとする状態を示すＴＥカバー３０の断面図とピルファープルーフキャップ２０の側面図である。
本発明に係るＴＥカバー付ピルファープルーフキャップ１０は、ピルファープルーフキャップ２０と、該ピルファープルーフキャップ２０の外周面を被覆するＴＥカバー３０と、で形成され、その材質は、共に熱可塑性のポリプロプレン（ＰＰ）等の合成樹脂素材で形成される。
【００３７】
ピルファープルーフキャップ２０は、充填容器４０のスパウト部４１に螺合されるキャップ本体２１と、該キャップ本体２１のスカート部２２の下端にリング状のバンドを分断する分割スリット２５を形成するＴＥバンド２４と、を破断ブリッジ２３を介して形成される。
【００３８】
キャップ本体２１は、充填容器４０のスパウト部４１に螺合される密閉キャップで、下端には、破断ブリッジ２３によって切り離されるフラップ２６が内設されたＴＥバンド２４が連結されている。天面内側はパッキン処理されており、ＴＥバンド２４が切り離されると同時に該パッキンと充填容器４０のスパウト部４１上端との密栓状態が音と共に解除されることで、充填容器４０の内部に外気が入り込み、飲料水の液面が下がる従来技術のいたずら防止機能を備えることができるものである。なお、キャップ色は基本的には白色をしているが、高温度帯用ではオレンジ色、冷凍温度帯用ではブルー色が施されているのが一般的である。
【００３９】
破断ブリッジ２３は、充填容器４０のスパウト部４１に螺合されるキャップ本体２１と、該キャップ本体２１のスカート部２２の下端に連結されるＴＥバンド２４と、を断続的に分断するブリッジを設けて形成される。
【００４０】
ＴＥバンド２４は、リング状のバンドの一部を切断して略Ｃ字状に形成する分割スリット２５を設けて形成される。該ＴＥバンド２４は、キャップ本体２１と同じくポリプロピレン樹脂製であって、キャップ本体２１に対してやや肉厚の平滑なテーパ面２７が形成されており、キャップ本体２１の下端に破断ブリッジ２３を介して連結されるものである。そして、キャップ本体２１を反時計回りに回すことでキャップ本体２１とＴＥバンド２４を繋ぐ破断ブリッジ２３が千切られ、略１回り程回り切ったところでキャップ本体２１からＴＥバンド２４が完全に切り離されることとなる。また、ＴＥバンド２４の内側に設けられているフラップ２６が充填容器４０の上段フランジ４２より下方に位置して該上段フランジ４２により係止される構成になっていることと、ＴＥバンド２４のテーパ面２７の上面が下側筒状部３３の下端に設けられるテーパ面３４によって当接されていることの二つの作用によって、開栓時にＴＥバンド２４が伸びて拡張することで上段フランジ４２に乗り上げてしまうことを防止する構造となっている。
【００４１】
分割スリット２５は、前記ＴＥバンド２４を二分割するためのスリットであって、ＴＥカバー３０によってＴＥバンド２４が常時完全に被覆されていることから、そのスリット形状については単に二分割されている形状で良く、特に限定されるものではない。また、加工方法に至っては、射出成形加工またはカッターによる切断加工が一般的であるが、その加工方法に関しても特に限定するものではない。
【００４２】
ＴＥカバー３０は、上側筒状部３２と、下側筒状部３３が一体成型されて所定の高さＴを有する筒状体３１で形成されるもので、ＴＥバンド２４を外側から完全に被覆することにより、流通時のＴＥ機能の強化と、廃棄時のＴＥバンド２４の分別廃棄機能を容易にするものである。
【００４３】
筒状体３１は、外周面には滑り防止用溝３５（ナール線やローレットや凹凸溝とすることも可）を刻設し、内周面に設けられる内周線状凹部３６を境界として上側筒状部３２と下側筒状部３３に分けられるものである。また、筒状体３１をキャップ本体２１に溶着固定する際は、筒状体３１の内周面に設けられる内周線状凹部３６がキャップ本体２１の下端凸縁２８に嵌め込まれて位置決めされる。なお、筒状体３１の外周部を多角形としてキャップの開閉に際して滑りにくくする形状とすることも可能である。
【００４４】
上側筒状部３２は、筒状体３１の内周面に設けられる内周線状凹部３６を境界として上部に形成され、該内周面がピルファープルーフキャップ２０のキャップ本体２１の外周面に溶着固定される。
【００４５】
下側筒状部３３は、筒状体３１の内周面に設けられる内周線状凹部３６を境界として下部に形成され、ピルファープルーフキャップ２０の破断ブリッジ２３を隙間逃げ部Ｓがある状態で外側から被覆すると共に、その内周面がＴＥバンド２４のテーパ面２７の上面に当接するテーパ面３４を形成して、該ＴＥバンド２４の下端位置まで被覆して形成される。
【００４６】
充填容器４０は、ポリエチレンテレフタレート（ＰＥＴ）樹脂製等の１９０ｍｌ〜４Ｌ容量までの無色透明なペットボトル等であって、形状としては、従来型ならびに炭酸用の凸半球型ペットボトルと、炭酸用の丸型ペットボトルと、無炭酸用の角型ペットボトルなどがある。具体的構成として、ピルファープルーフキャップ２０が充填容器４０のスパウト部４１に螺合された状態で、該スパウト部４１の下方に設けられる上段フランジ４２と下段フランジ４３とで形成されるフランジ溝４４にＴＥバンド２４が収納される構造を有して形成される。
【００４７】
隙間逃げ部Ｓは、筒状体３１の内周面に設けられる内周線状凹部３６の下方にキャップ本体２１とＴＥバンド２４を分断する破断ブリッジ２３の作用に影響のない空間を有するように形成される。
【００４８】
所定の高さＴは、ピルファープルーフキャップ２０の外周面の高さに合わせて決定されるもので、少なくともピルファープルーフキャップの２０外周面の高さの一部ならびにＴＥバンド２４の高さを満たす寸法を有して形成される。
【００４９】
以上で構成されるＴＥカバー付ピルファープルーフキャップ１０は、製造段階ならびに流通段階では、ＴＥバンド２４がキャップ本体２１に連結された状態で装着され、飲料時では、破断ブリッジ２３によって千切られたＴＥバンド２４が充填容器４０のフランジ溝４４に取り残された状態で開栓され、飲料後の分別廃棄処分時では、充填容器４０のフランジ溝４４に取り残されたＴＥバンド２４の分割スリット２５を指先で軽く中心から外方向に引き寄せることによって、ＴＥバンド２４は充填容器４０のフランジ溝４４から容易に外されて充填容器４０と分別廃棄されるものである。
【００５０】
図２は、本発明に係る請求項１記載のＴＥカバー付ピルファープルーフキャップ１０を示す説明図であり、図２（ａ）は組み合わせた状態を示す部分断面図であり、図２（ｂ）は組み合わせた状態を示す全体斜視図である。
本発明に係るＴＥカバー付ピルファープルーフキャップ１０のＴＥ性を簡単に説明すると、ピルファープルーフキャップ２０におけるＴＥバンド２４のフラップ２６が充填容器４０の上側フランジ部４２を乗り越えて充填容器４０のフランジ溝４４に落とし込まれた状態において、ＴＥバンド２４のテーパ面２７はＴＥカバー３０の下側筒状部３３の内周面に設けられているテーパ面３４によって上部から均等に当接されているため、ＴＥバンド２４のテーパ面２７は必要以上に拡張することがない上、該下側筒状部３３のテーパ面３４がＴＥバンド２４の下端位置まで被覆しているため、ＴＥバンド２４と充填容器４０のフランジ溝４４の間に隙間がないこととなって、工具等を差し込んで行う不正開封行為を完全に防止することができるものである。
【００５１】
次に、本発明に係るＴＥカバー付ピルファープルーフキャップ１０の開栓状態を簡単に説明すると、キャップ本体２１を反時計回りに回すことでキャップ本体２１とＴＥバンド２４が１２０〜１８０度程一緒に回り、１８０度付近からキャップ本体２１とＴＥバンド２４を繋ぐ破断ブリッジ２３が「メリメリ」と言う音を立てながら離れ始め、略２７０度を超える辺り（破断後にリークを開始する角度をＬＢ角度と言う）から「ブチッ」と言う音と共に破断ブリッジ２３が千切られ、略２７０〜３６０度程回り切ったところでキャップ本体２１とＴＥバンド２４が完全に切り離される。該ＴＥバンド２４が切り離される同時に、キャップ本体２１の天面内部のパッキンと充填容器４０のスパウト部４１との密栓状態が「シュポ！」と言う音と共に解除されることで、充填容器４０の内部に外気が入り込み、充填される飲料水の液面が下がって開封されることとなる。
【００５２】
次に、本発明に係るＴＥカバー付ピルファープルーフキャップ１０の分別廃棄状態を簡単に説明すると、ピルファープルーフキャップ２０のキャップ本体２１を開栓方向に回すことでキャップ本体２１は上方向に移動するが、一方ＴＥバンド２４は充填容器４０の上段フランジ４２に移動を阻止されて破断ブリッ２３によって分断されるため、該ＴＥバンド２４は充填容器４０のフランジ溝４４に取り残される。その取り残されたＴＥバンド２４は、分割スリット２５に二分割された状態で単にフランジ溝４４に取り残されている状態であるため、分割スリット２５を指先で軽く中心から外方向に引き寄せることによって該ＴＥバンド２４は充填容器４０のフランジ溝４４から容易に外れて、充填容器４０とＴＥバンド２４とを分別廃棄することができるものである。
【００５３】
図３は、本発明に係る請求項１記載のＴＥカバー付ピルファープルーフキャップの取り付け状態を示す説明図である。
（１）飲料製造工場の生産ラインでＴＥカバー付ピルファープルーフキャップ１０が用意される。
（２）飲料が充填された充填容器４０のスパウト部４１にＴＥカバー付ピルファープルーフキャップ１０を螺合させて閉栓する。
（３）ＴＥカバー付ピルファープルーフキャップ１０におけるＴＥバンド２４のフラップ２６が、充填容器４０の上側フランジ部４２を乗り越えて充填容器４０のフランジ溝４４に落とし込まれる。その時、ＴＥバンド２４のテーパ面２７をＴＥカバー３０の下側筒状部３３の内周面に設けられているテーパ面３４で均等に当接しているため、ＴＥバンド２４のテーパ面２７は必要以上に拡張することがない上、下側筒状部３３のテーパ面３４がＴＥバンド２４の下端位置まで被覆していることによって、ＴＥバンド２４と充填容器４０のフランジ溝４４の間に工具等を差し込むことができないため、ＴＥカバー付ピルファープルーフキャップ１０のＴＥ性が完全に保たれるものである。
【００５４】
図４は、本発明に係る請求項１記載のＴＥカバー付ピルファープルーフキャップの開栓状態を示す説明図である。
（４）ＴＥカバー付ピルファープルーフキャップ１０を開栓方向に回して充填容器４０のスパウト部４１から螺脱させる。この時、キャップ本体２１とＴＥバンド２４は破断ブリッ２３によって分断されることによって、ＴＥバンド２４は充填容器４０のフランジ溝４４に取り残される。
（５）取り残されたＴＥバンド２４の分割スリット２５を指先で軽く中心から外方向に引き寄せることによって、ＴＥバンド２４は充填容器４０のフランジ溝４４から容易に外され、充填容器４０と分別廃棄される。
【００５５】
以上のように、本発明のＴＥカバー付ピルファープルーフキャップ１０は、充填容器４０のスパウト部４１に単純にネジ込むだけで、完璧なＴＥ性の確保と充填容器４０との分別廃棄が容易に行えるものである。
【実施例２】
【００５６】
図５は、本発明に係る請求項２記載のＴＥカバー付ピルファープルーフキャップ１０を示す説明図であり、図５（ａ）はピルファープルーフキャップ２０とＴＥカバー３０とを組み合わせた状態を示す部分断面図であり、図５（ｂ）は組み合わせようとする状態を示すＴＥカバー３０の断面図とピルファープルーフキャップ２０の側面図である。
請求項２記載のＴＥカバー３０は、ＴＥカバー３０の上端に天面部３７を設けてキャップ状に形成し、さらに該ＴＥカバー３０をピルファープルーフキャップ２０のキャップ本体２１に被覆させ、該ＴＥカバー３０の上側筒状部３２の内周面とキャップ本体２１の外周面とを溶着固定したものである。
【００５７】
ＴＥカバー３０をキャップ状に形成して天面部３７を設けることによって、溶着筋目や段差がなくなることで外観美観性が向上すると共に、ピルファープルーフキャップ２０のキャップ本体２１にＴＥカバー３０を容易に挿入することができる。
【産業上の利用可能性】
【００５８】
本発明のＴＥカバー付ピルファープルーフキャップ１０は、ペットボトルや紙パック容器に設けられるピルファープルーフキャップを実施例として説明しているが、飲料用のピルファープルーフキャップ以外に食品容器用、医療容器用、および工業用容器用のピルファープルーフキャップとしても広く利用することができるもので、本発明のＴＥカバー付ピルファープルーフキャップ１０の産業上の利用可能性は大であると解する。
【符号の説明】
【００５９】
１０    ＴＥカバー付ピルファープルーフキャップ
２０    ピルファープルーフキャップ
２１    キャップ本体
２２    スカート部
２３    破断ブリッジ
２４    ＴＥバンド
２５    分割スリット
２６    フラップ
２７    テーパ面
２８    下端凸縁
３０    ＴＥカバー
３１    筒状体
３２    上側筒状部
３３    下側筒状部
３４    テーパ面
３５    滑り防止用溝
３６    内周線状凹部
３７    天面部
４０    充填容器
４１    スパウト部
４２    上段フランジ溝
４３    下段フランジ溝
４４    フランジ溝
Ｔ    所定の高さ
Ｓ    隙間逃げ部
【図１】
2013203431.tif 000003
【図２】
2013203431.tif 000004
【図３】
2013203431.tif 000005
【図４】
2013203431.tif 000006
【図５】
2013203431.tif 000007
【手続補正書】
【提出日】平成24年5月7日(2012.5.7)
【手続補正１】
【補正対象書類名】明細書
【補正対象項目名】０００１
【補正方法】変更
【補正の内容】
【０００１】
本発明は、流通時のＴＥ機能と廃棄時の分別廃棄機能を備えるタンパーエビデントカバー付のピルファープルーフキャップに関する。
【手続補正２】
【補正対象書類名】明細書
【補正対象項目名】０００３
【補正方法】変更
【補正の内容】
【０００３】
そのペットボトル飲料の普及に伴って、充填容器の中に除草剤や液体洗剤を混入させるいたずら事件が発生し、その防御手段として不正開封防止機能、所謂タンパーエビデント機能（以下ＴＥ機能と称す)を備えたピルファープルーフキャップが開発され、今日に至っている。
【手続補正３】
【補正対象書類名】明細書
【補正対象項目名】０００４
【補正方法】変更
【補正の内容】
【０００４】
該ピルファープルーフキャップのＴＥ機能は、キャップ本体を反時計回りに回すとキャップ本体とタンパーエビデントバンド(以下ＴＥバンドと称す)を繋ぐ破断ブリッジが千切られ、略１回りしたところでキャップ本体とＴＥバンドが完全に切り離される機能と、該ＴＥバンドが切り離されると同時に充填容器のスパウト部の密栓状態が解除される二つの機能を備えているものである。係るピルファープルーフキャップには、開封後もＴＥバンドがキャップ本体に繋がっている一体型（ラチェット式）タイプと、開封後はＴＥバンドがキャップ本体から完全に分離される分離型タイプの二つのタイプに分けられる。
【手続補正４】
【補正対象書類名】明細書
【補正対象項目名】００１９
【補正方法】変更
【補正の内容】
【００１９】
本願発明者は、合成樹脂製のピルファープルーフキャップのＴＥバンドにおける上記の全ての問題点を解決するために、合成樹脂製のピルファープルーフキャップに設けられるＴＥバンドの取り付け構造に着目し、ＴＥバンド自体にはキャップ本体とＴＥバンドの分離性を求め、ＴＥ性についてはＴＥバンドを覆うカバー体で確保できるのではないかとの着想の下、既存の合成樹脂製のピルファープルーフキャップの外周面に筒状体のＴＥカバーを被覆することによって、流通時のタンパーエビデントカバー（以下ＴＥカバーと称す)によるＴＥ機能の強化と廃棄時のＴＥバンドの分別廃棄機能の容易性とを兼ね備えるＴＥカバー付ピルファープルーフキャップを開発し、本出願における「ＴＥカバー付ピルファープルーフキャップ」の提案に至るものである。
【手続補正書】
【提出日】平成24年7月11日(2012.7.11)
【手続補正１】
【補正対象書類名】特許請求の範囲
【補正対象項目名】請求項１
【補正方法】変更
【補正の内容】
【請求項１】
不正開封防止機能と密封機能を備えるピルファープルーフキャップと、該ピルファープルーフキャップの外周面を被覆するＴＥカバーと、で形成される合成樹脂製のＴＥカバー付ピルファープルーフキャップであって、
前記ピルファープルーフキャップは、充填容器のスパウト部に螺合されるキャップ本体と、該キャップ本体のスカート部の下端にリング状のバンドを分断する分割スリットを形成するＴＥバンドと、を破断ブリッジを介して設けて成り、
前記ＴＥカバーは、上側筒状部と、下側筒状部が一体成型されて所定の高さを有する筒状体を形成し、該筒状体の外周面には滑り防止用溝を刻設し、前記上側筒状部は、その内周面が前記ピルファープルーフキャップのキャップ本体の外周面に溶着固定され、前記下側筒状部は、前記ピルファープルーフキャップの破断ブリッジを隙間逃げ部を設けた状態で外側から被覆すると共に、その内周面の下端が前記ＴＥバンドのテーパ面の上面に当接するテーパ面を形成して該ＴＥバンドの下端位置まで被覆して成り、
製造段階で前記ＴＥカバー付ピルファープルーフキャップを充填容器に装着する場合は、前記ＴＥバンドが前記キャップ本体に連結された状態で装着され、
飲用時に前記ＴＥカバー付ピルファープルーフキャップを開栓する場合は、前記破断ブリッジによって千切られた前記ＴＥバンドが充填容器のフランジ溝に取り残された状態で開栓され、
飲用後に充填容器が廃棄処分される場合は、充填容器のフランジ溝に取り残された状態の前記ＴＥバンドを中心から外方向に引き寄せることによって、前記ＴＥバンドを充填容器から容易に分離することができる
ことを特徴とするＴＥカバー付ピルファープルーフキャップ。
【手続補正２】
【補正対象書類名】明細書
【補正対象項目名】００２２
【補正方法】変更
【補正の内容】
【００２２】
本発明は上記目的を達成するためになされるもので、不正開封防止機能と密封機能を備えるピルファープルーフキャップと、該ピルファープルーフキャップの外周面を被覆するＴＥカバーと、で形成される合成樹脂製のＴＥカバー付ピルファープルーフキャップであって、前記ピルファープルーフキャップは、充填容器のスパウト部に螺合されるキャップ本体と、該キャップ本体のスカート部の下端にリング状のバンドを分断する分割スリットを形成するＴＥバンドと、を破断ブリッジを介して設けて成り、前記ＴＥカバーは、上側筒状部と、下側筒状部が一体成型されて所定の高さを有する筒状体を形成し、該筒状体の外周面には滑り防止用溝を刻設し、前記上側筒状部は、その内周面が前記ピルファープルーフキャップのキャップ本体の外周面に溶着固定され、前記下側筒状部は、前記ピルファープルーフキャップの破断ブリッジを隙間逃げ部を設けた状態で外側から被覆すると共に、その内周面の下端が前記ＴＥバンドのテーパ面の上面に当接するテーパ面を形成して該ＴＥバンドの下端位置まで被覆して成り、製造段階で前記ＴＥカバー付ピルファープルーフキャップを充填容器に装着する場合は、前記ＴＥバンドが前記キャップ本体に連結された状態で装着され、飲用時に前記ＴＥカバー付ピルファープルーフキャップを開栓する場合は、前記破断ブリッジによって千切られた前記ＴＥバンドが前記充填容器のフランジ溝に取り残された状態で開栓され、飲用後に充填容器が廃棄処分される場合は、充填容器のフランジ溝に取り残された状態の前記ＴＥバンドを軽く中心から外方向に引き寄せることによって、前記ＴＥバンドを充填容器から容易に分離することができる手段を採用した。
【手続補正３】
【補正対象書類名】明細書
【補正対象項目名】００４９
【補正方法】変更
【補正の内容】
【００４９】
以上で構成されるＴＥカバー付ピルファープルーフキャップ１０は、製造段階ならびに流通段階では、ＴＥバンド２４がキャップ本体２１に連結された状態で装着され、飲用時では、破断ブリッジ２３によって千切られたＴＥバンド２４が充填容器４０のフランジ溝４４に取り残された状態で開栓され、飲用後の分別廃棄処分時では、充填容器４０のフランジ溝４４に取り残されたＴＥバンド２４の分割スリット２５を指先で軽く中心から外方向に引き寄せることによって、ＴＥバンド２４は充填容器４０のフランジ溝４４から容易に外されて充填容器４０と分別廃棄されるものである。